(57)【特許請求の範囲】
【請求項１】
錠剤を一粒一粒ずつに分けて供給するための錠剤供給装置であって、この錠剤供給装置がプリズム形のハウジング（２０）を有しており、
このハウジングが底面（２２）内で端面（３６）方向に位置ずれしている底部開口（２１）を備えており、
上記ハウジングの屋根面（３０）が開いていてかつこのハウジングの側面（３４，３５）が上方でそれぞれ一つの凹部（２９）により形成されており、
更にこのハウジングが屋根面（３０）を経てハウジング（２０）内に入込み可能であり、その中で制限されたストローク運動の下にウエッブ（２６）により移動可能な内部要素（１０）を備えており、この内部要素がその底部において垂直方向で整向されていてかつハウジング（２０）の底部開口（２１）に通じている錠剤供給孔（１３）を備えているプリズム形錠剤貯蔵室（１２）から成り、
またこのハウジング（２０）が底面（２２）に支持されている復帰ばね（１４）とを備えており、
この場合ハウジング（２０）の内部側壁（３５）に内部要素（１０）の傾斜部（３１）の直ぐ下方で終わっているウエッブ（２６）が設けられている様式の錠剤供給装置において、
内部要素（１０）の側壁（１６）が、鈍角の傾斜部（３１）の様式の縁部（１９）と協働して、内部要素（１０）が摺動した際縁部（１９）がその傾斜部（３１）でもって側壁（１６）の脈動的な横方向摺動の下に中空空域（１２）内に存在している錠剤堆積体を弛緩させるように、形成されていてかつ設けられていることを特徴とする錠剤供給装置。
【請求項２】
ウエッブ（２６）がハウジング（２０）の底部開口（２１）の領域内に設けられていてかつ、このウエッブが錠剤供給装置の静止位置において内部要素（１０）の側壁（１６）と接触しないように、形成されていることを特徴とする請求の範囲第１項に記載の錠剤供給装置。
【請求項３】
内部要素（１０）の側壁（１５，１６）の外面に、ハウジング（２０）と内部要素（１０）間の封隙を高めかつ摩擦抵抗を低減するための第一の要素（１８）と第二の要素（１６′）とが設けられていることを特徴とする請求の範囲第１項或いは第２項に記載の錠剤供給装置。
【請求項４】
第一の要素（１８）が、内部要素（１０）の側壁（１５，１６）の外面をハウジング（２０）の上方の輪郭の経過に相応して区画している側壁（１５，１６）の突出している縁部であることを特徴とする請求の範囲第３項に記載の錠剤供給装置。
【請求項５】
第二の要素（１６′）が内部要素（１０）の側壁（１５，１６）の外面の粗面化された表面領域であることを特徴とする請求の範囲第３項或いは第４項に記載の錠剤供給装置。
【発明の詳細な説明】
本発明は、錠剤を一粒一粒ずつに分けて供給するための錠剤供給装置であって、この錠剤供給装置が
プリズム形のハウジングを備えており、このハウジングの底面が端面方向に位置ずれしている底部開口を備えており、この底部開口の屋根面がその全断面において開いていてかつこの底部開口の側面が上方でそれぞれ凹部を備えており、
更にこの錠剤供給装置が、
特にプリズム形の錠剤貯蔵室から成る、開いている屋根面を経てハウジング内に移動されて入込まれ、ストローク運動が制限されている内部要素を備えており、上記に錠剤貯蔵室の底部に本質的に垂直方向で整向されている錠剤供給孔が設けられており、この錠剤供給孔がハウジングの底部開口を貫通して形成されており、またこの錠剤貯蔵室の底部にはハウジングの底面に支持されているばねとストローク運動制限のためのウエッブとが設けられている
様式の錠剤供給装置に関する。
内部要素がハウジング内にストローク運動が制限されて入込み運動することにより錠剤を一粒一粒ずつに分けて供給するための供給装置は公知であり、この供給装置にあっては底面側の開口において錠剤が錠剤供給孔を経て排出される。例えば、ヨーロッパ特許第０  ３４５  ４１３号明細書には、ハウジング内で、中央に設けられている操作ロッドを介して押し棒と結合されている操作キーを入込ませることによって、錠剤を一粒一粒ずつ底面側開口を経て放出する様式の錠剤供給装置が記載されている。この公知の供給装置の欠点は、供給装置を利用している間、および供給装置、例えば錠剤を衣類のポケット、手袋等にしまい込んで帯同している際に容易に外から錠剤が潰されたり、摩擦されて擦りへったりし、保存容器或いは周囲が汚れてしまうことである。
これに対処するために、ドイツ連邦共和国実用新案第２９６  ０１  ６９３．４号において、錠剤供給装置のハウジングに、そして操作キー、押し棒および結合部分から成る内部要素に隙間を閉鎖する部材を設けることが提案されている。このドイツ連邦共和国実用新案公報から公知の錠剤供給装置は、底面内で開いている端面と側方へと位置ずれしている開口とを備えているプリスム形のハウジングから成る。このハウジング内に、内部要素が上方から押込まれており、この内部要素は押し棒と操作キーとから成り、結合部材によって結合されており、これらの部材は一緒になって内部ハウジングとして構造的な一つのユニットを形成しており、この内部ハウジングの上方部分内に錠剤貯蔵室が存在している。操作キーの上部分を指で押圧することにより、この内部要素が摺動され、その際押し棒がハウジングの底部開口を経て摺動され、錠剤が放出される。内部要素の摺動はウエッブによってそのストロークが制限されており、このウエッブはこの内部要素が下方へと運動した際ハウジング底部に衝突し、これにより内部要素がそれ以上下方へと運動するのが阻止される。
この公知の錠剤供給装置においてハウジングにも、内部要素にも間隙閉鎖作用を行う部材が設けられているにもかかわらず、錠剤供給装置を操作した際互い対向方向に摺動するハウジングの側壁と内部要素の側壁との間に錠剤の圧潰片と錠剤のすり潰れ粉とが供給装置から出てしまい、これにより互いにの方向に滑動し合う側壁間の摩擦抵抗が著しく増大する。更に、ハウジングと内部要素との側壁間の狭い間隙内に、毛細管作用により液体フイルムが形成され、この液体フイルムが錠剤のすり潰れ粉とあいまって同様に摩擦抵抗を著しく増大させる。
錠剤堆積体内部の一粒一粒ずつの錠剤の放出を阻止するようなブリッジの形成を回避するために、従って通常行われているように錠剤供給装置を振ることなしに、ブリッジの形成を解消するために、ヨーロッパ特許第０  ３４５  ４１３号明細書から公知の錠剤供給装置にあっては、錠剤供給孔の領域内が傾斜面をもって形成されており、この傾斜面は押し棒の操作とあいまって錠剤の一粒一粒の放出を行い、従って錠剤を振動させることによって増大する錠剤の圧潰の危険が低減される。
錠剤供給装置の上方領域にあっても錠剤の良好な弛緩が保証されるように、ドイツ連邦共和国実用新案第２９６  ０１  ６９３．４号において開示されている錠剤供給装置のハウジングは、その内部において、平行に垂直方向で整向されていて、内方へと突出しているリブによって形成されており、これらのリブは結合部材の縦スリット内に係合していて、押し棒が運動している間その底部位置からストローク運動方向に沿ってその供給位置へと錠剤の弛緩を誘起する。
この公知の技術を基礎として、本発明の課題は、封隙と摩擦に関する上記の欠点を、錠剤弛緩が行われるように、しかもその際、例えば製造経費の増大或いは錠剤の圧潰の危険を増大させるような付加的な欠点を生じることなく、機能信頼性と製造容易性との下に、排除することを目的として錠剤供給装置を更に改善することである。
この課題は本発明により、請求の範囲の第１項に上位概念に記載の様式の錠剤供給装置にあって、本発明により特徴部に記載の構成によって解決される。
本発明により内部要素の側壁が、鈍角の傾斜部の形状した縁部と協働して、この内部要素が摺動した際、この縁部がその傾斜部と共に側壁の脈動的な横方向摺を誘起するように形成されていてかつそのように設けられていることにより、中空空域内に存在している錠剤堆積体が弛緩される。
ハウジングの内部側壁に、錠剤堆積体を弛緩するための、内部要素の移動の際この内部要素の外方側壁と作用結合するエッブが設けられている、本発明による特徴により、錠剤供給装置を利用し、これによる内部要素がハウジング内を移動した際，錠剤堆積体の弛緩が達せられる。何故なら、錠剤供給装置を利用した際、−この場合内部要素がハウジング内方への指による押圧力によりストッパに当接するまで摺動され、これにより一粒一粒ずつ錠剤が錠剤供給孔から放出される−、本発明によるウエッブは脈動的に側方へと内部要素の可撓性な側壁に対して押付けられ、これにより内部要素内の錠剤堆積体の内部に運動（振動運動）が誘起される。この振動運動により、錠剤が錠剤供給孔内に落下し、一粒一粒ずつ放出されることが可能となる。
この際、ハウジングの内方側面に設けられているウエッブは、静止位置において内部要素の側壁の外面に対して開放されるような大きさに形成されている。内部要素が下方へと押圧されて始めて、ウエッブは内部要素の側壁の外面の斜面に対して突当たり、この斜面上を更に上方へと滑動し、内部要素の側壁の外面に対して押付けられ、これにより内部要素の側壁の外面は側方へと押圧される。内部要素が元の静止位置に戻った際、ウエッブが再び傾斜面上を経て内部要素の側壁の外面から離間すると直ちに、内部要素の側壁の外面外面は瞬時に復帰し、これにより復帰速度に応じて付加的な激しい振動運動が生じる。
こう言ったことから、錠剤堆積体の内部に振動運動を誘起するために、もはやドイツ連邦共和国実用新案第２９６０１６９３．４号から公知のリブとスリットとを必要としない。ウエッブはハウジングの底部開口の領域内に、即ち錠剤供給孔の領域内に設けられているので有利である。何故なら、この領域内において内部要素の側壁が、端壁が設けられていないので、高い可撓性を備えているからである。
本発明による有利な構成は請求の範囲第２項から第５項に記載した。例えば、ウエッブはハウジングの底部開口の領域内に、錠剤供給装置が静止している間内部要素の側壁と接触しないように設けられておりかつ形成されているこのことは、錠剤の取出しの際操作を容易にするので有利である。
本発明による他の構成により、内部要素の外方の側壁に、ハウジングと内部要素間の封隙を高めかつ摩擦抵抗を低減するための第一の要素と第二の要素が設けられている。この構成は、第一の要素が、内部要素の外方の側壁をハウジングの上方の輪郭の経過に相応して区画している側壁の突出している縁部であり、一方第二の要素が内部要素の外方の側壁の粗面化された表面領域であり、操作の際その摩擦抵抗は明白に低減する。
錠剤供給装置の内部要素の側壁が突出していてかつ周辺縁部によって形成されていると言う、本発明による他の構成により、内部要素の側壁とハウジングの側壁間の間隙が封隙される。何故なら、錠剤供給装置を操作した際でもこの縁部が常に間隙の部に存在しており、従って常時の封隙が保証されるからである。同時に、錠剤供給装置を操作して側壁が相互に滑動した際の摩擦抵抗が明白に低減する。何故なら、内部要素の縁部のみがハウジングの側面を滑動しているからである。側面間の間隙内に入込む錠剤圧潰片による締付け作用は、この間隙の内部で運動し、かつこの際錠剤圧潰片をも摺動させる縁部によって完全に阻止される。
ハウジングの側壁方向に滑動しかつ突出している縁部により捕捉される内部要素側壁の部分を粗面化すると言う、本発明による他の構成により、内部要素の全当接面が縮小される。何故なら、粗面化された面の隆起部のみがハウジングの滑らかな内面と接触することができ、滑らかな面の際生じる付着摩擦が完全に回避されるからである。
更に、内部要素の外面の粗面化により毛細管作用による液体フイルムの形成が抑制され、従って到来する錠剤の圧潰粉末は側壁間の間隙内において乾燥した状態にとどまり、形成された液体フイルムの液体は錠剤貯蔵室内に到達しないので有利である。
本発明の他の利点、詳細な点および特徴を以下に詳細に説明する。
第１図は本発明による錠剤供給装置のハウジングの内部要素が押込まれている状態での側方断面図、
第２図はハウジングの内部要素が押込まれている状態での本発明による錠剤供給装置の断面図、
第３図は本発明による錠剤供給装置の側方断面図、
第４図は本発明による錠剤供給装置の内部要素の側方断面図。
第１図および第２図に示した実施例（第３図と第４図には、ハウジング（２０）と内部要素（１０）とを、よりよい理解のため、もう一度詳細に図示した）はプリスム形のハウジング（２０）から成り、このハウジングの底面（２２）は側方に位置ずれしている長方形の底部開口（２１）を備えており、このハウジングの屋根面（３０）はその全断面が開いている。このハウジング（２０）の両側面（３４，３５）は、それらの上方部分において、指による押圧により内部要素を摺動させることにより錠剤供給装置の操作を可能にするために、それぞれ一つのＶ字形の凹部（２９）を備えている。
底部開口（２１）の領域において、ハウジング（２０）の側面（３５）の内側に、ウエッブ（２６）が設けられており、このウエッブは内部要素（１０）の傾斜部（３１）の直ぐ下方で終わっている。錠剤供給孔（１３）の側方での封隙を行うために、ハウジング（２０）の内方端面（３６）に二つのウエッブ（２７）並びに錠剤を錠剤供給孔（１３）内に押込むために傾斜部（３２）が設けられている。三角形に形成された二つの面（２８）は底部開口（２１）の上方において竪孔を備えており、この竪孔を経て錠剤供給孔が降下運動する際、この錠剤供給孔が案内される。三角形の面（２８）は側方のウエッブ（３３）により側壁（３４，３５）に対して支持されている。
ハウジング（２０）内には、内部要素（１０）が上方から、しかもばね（１４）が内方へと底面（２２）に突当たるように、かつ錠剤供給孔（１３）の縁部（２４，２５）の突起部が底部開口（２１）を経て摺動し、かつ縁部（２４）が下方から底部開口（２１）の鼻部（９の下方へと摺動し、この鼻部と係合するように、押込まれる。底部開口（２１）はこの図示した静止位置にあって錠剤供給孔（１３）によって密に閉鎖される。内部要素（１０）の側壁（１６）は前方へとこの錠剤供給孔方向に傾斜して形成されている縁部（１９）で拡開されており、これにより錠剤が錠剤供給孔へと滑動するのが容易となる。この縁部（１９）の形状は長方形でなく、傾斜（３１）様式で鈍角状である。これと異なって、相対している側壁（３４）は傾斜部を有することなく、階段（１７）の様式の屋根面に対して平行に直角の角度で拡開している。
錠剤供給装置の操作は内部要素（１０）の端面（１１）に対する指による押圧によって行われ、この場合指はハウジング側面のここではＶ字形に形成された凹部によって捕捉され、内部要素（１０）を下方へと押圧する。この際、この内部要素（１０）はウエッブ（２３）が底面（２２）上に突当たり、更なる下方への摺動が阻止されるまで摺動される。内部要素（１０）が下方へと摺動した際錠剤供給孔（１３）が底部開口（２１）から下方へと出て、錠剤をこの錠剤供給孔（１３）から取出すことが可能となるか、或いは錠剤が落下し、その際錠剤は内部要素（１０）の上方部分内で中空空域（１２）から錠剤供給孔（１３）内に重力により移送される。
指による押圧を緩めた際、ばね（１４）−このばねは内部要素（１０）が下方へと運動した際下方の底面（２２）に沿って滑動し、その際湾曲し、張力を発生する−により内部要素（１０）はこの張力が解消することにより再びその出発位置に押圧される。
錠剤供給装置の操作際に摩擦抵抗を低減するために、かつハウジング（２０）の側方の内壁と内部要素（１０）の側壁（１５，１６）の外面の間の間隙を封隙するために、これらの側壁（１５，１６）は突出している周囲縁部（１８）によって形成されており、この縁部はこれらの側壁（１５，１６）とハウジング（２０）の側面とにより形成されている間隙を封隙し，その際縁部（１８）はハウジング（２０）の側面のここではＶ字形の凹部の輪郭に従っている。
更に、これらの側壁（１５，１６）はハウジング（２０）の側壁と間隙を形成している上方の領域（１６′）内で粗面化されており、従って錠剤供給装置が操作された際ハウジングの内面は周囲の縁部（１８）並びに粗面部（１６′）の隆起部と接触し、従って摩擦抵抗が著しく減少される。
内部要素（１０）が−錠剤一粒を放出するために−下方へと摺動した際、本発明により縁部（１９）はその傾斜部（３１）でウエッブ（２６）上を摺動し、これにより内部要素の側壁（１６）が脈動的に内方へと押圧され、これにより内部要素（１０）の中空空域（１２）内に存在している錠剤が放たれる。
次に、内部要素（１０）が摺動した出発位置（静止位置）に戻って、ウエッブ（２６）が傾斜部（３１）を経て側壁（１６）を再び開放した場合、側壁（１５，１６）は再び迅速にその元の位置に戻る。これにより、錠剤堆積体の弛緩があらためて行われる。
従って、錠剤供給装置の操作の際に、錠剤を同時に放出するための簡単なかつ有効な構成が達せられ、この構成は特別な構造上の経費をかけることなく実現可能であり、これにより多数のウエッブとスリットの様式の、これに伴い欠点（内部要素とハウジング間の摩擦が増大すること、スリットに係合するウエッブによって錠剤が圧潰する危険が増大すること）を有しかつ経費を要するドイツ連邦共和国実用新案第２９６０１６９３．４号の構成をとる必要がない。
本発明による錠剤供給装置は、公知の錠剤供給装置に比して、高い機能信頼性、改善された封隙の下におよび単純な構造により摩擦抵抗の低減と錠剤堆積体の自動的な弛緩が達せられる点で優れている。
本発明は、図面に図示した実施例に限られない。即ち、周囲縁部（１８）の形状が、錠剤供給装置の形状変更に相応して、例えばプリズム形と異なる形状にあって、本発明によりこの変形された形状に適合される。また、製造技術上有利なことであるが、内部要素（１０）の側壁（１５，１６）の外面の領域（１６′）のみが粗面化されているのではなく、この領域から外方に出ている面も粗面化することも可能である。ウエッブ（２６）の形成と配設に関しても、本発明による基本思想、即ち内部要素の側壁の脈動的な側方への摺動により錠剤堆積体の弛緩が行われると言う基本思想を充足する限り、他の実施例も可能である。
【図１】
0003895781.tif 000002
【図２】
0003895781.tif 000003
【図３】
0003895781.tif 000004
【図４】
0003895781.tif 000005